(57)【要約】      （修正有）【課題】器具カバーを器具本体に取り付ける際に、器具本体と器具カバーとの間に落下防止部材が挟み込まれてしまうのを防止できる照明器具を提供する。【解決手段】落下防止部材が、一端が器具本体２と器具カバー５のいずれか一方に取り付けられるワイヤ７Ａと、一端が器具本体２と器具カバー５の他方に取り付けられるチェーン８とを備え、ワイヤ７Ａの他端とチェーン８の他端とが取外し可能に接続されるものであって、ワイヤ７Ａが復元弾性を有するものであり、ワイヤ７Ａが器具本体２または器具カバー５の長手方向に沿って延びるように、ワイヤ７Ａの一端を取り付ける。【選択図】図７
0003195062.tif 000002
【実用新案登録請求の範囲】
【請求項１】
被取付面に一側面を取り付けられる筒状の器具本体と、
照明ユニットを保持し、前記器具本体に取外し可能に嵌着されて該器具本体の前記一側面と対向する他側面を覆う器具カバーと、
一端が前記器具本体に、他端が前記器具カバーにそれぞれ取り付けられる落下防止部材とを備える照明器具であって、
前記落下防止部材が、一端が前記器具本体と前記器具カバーのいずれか一方に取り付けられるワイヤと、一端が前記器具本体と前記器具カバーの他方に取り付けられるチェーンとを備え、前記ワイヤの他端と前記チェーンの他端とが取外し可能に接続されるものであって、
前記ワイヤが復元弾性を有するものであり、該ワイヤが前記器具本体または前記器具カバーの長手方向に沿って延びるように、該ワイヤの前記一端が取り付けられた照明器具。
【請求項２】
前記ワイヤの両端に、該ワイヤをループ状に曲げてなる取付輪を備えている請求項１記載の照明器具。
【請求項３】
前記ワイヤの一端の前記取付輪にネジを挿入することによって、前記ワイヤの一端が前記器具本体に取り付けられ、
前記ワイヤの他端の前記取付輪に、開閉可能なフックが取り付けられている請求項２記載の照明器具。
【請求項４】
前記チェーンが、複数のリングを連結してなるものである請求項１〜３いずれか１項に記載の照明器具。
【請求項５】
前記落下防止部材が、前記器具本体及び前記器具カバーの長手方向の一方の端部にのみ設けられている請求項１〜４いずれか１項に記載の照明器具。
【請求項６】
前記落下防止部材が、前記器具本体及び前記器具カバーの長手方向の両端部にそれぞれ設けられている請求項１〜４いずれか１項に記載の照明器具。
【請求項７】
間接照明として使用されるものである請求項１〜６いずれか１項に記載の照明器具。
【請求項８】
前記被取付面が棚板の下面であり、前記照明器具が棚に設置されるものである請求項１〜６いずれか１項に記載の照明器具。
【考案の詳細な説明】
【技術分野】
【０００１】
本考案は、器具本体と器具カバーとを連結する落下防止部材を備えた照明器具に関するものである。
【背景技術】
【０００２】
近年、低消費電力かつ長寿命の照明器具として、ＬＥＤ（発光ダイオード）を用いた照明器具が普及しつつある。ＬＥＤを利用した照明器具としては、例えば、内部に電源装置が設置され天井に設けられた取付穴に取り付けられる器具本体と、ＬＥＤユニットを保持して器具本体に着脱可能に取り付けられる灯具本体とからなる照明器具が知られており、例えば下記特許文献１に開示されている。この照明器具の器具本体の長手方向両端部には下方（地面側）に向かって設置された落下防止ワイヤが設けられている。
【先行技術文献】
【特許文献】
【０００３】
【特許文献１】特開２０１４−１０９０５号公報
【考案の概要】
【考案が解決しようとする課題】
【０００４】
しかしながら、特許文献１に記載されるような従来の照明器具においては、電源ユニットを保持する器具本体とＬＥＤユニットを保持する器具カバー（灯具本体）とがワイヤからなる落下防止部材によって連結された状態で、器具カバーを器具本体に取り付けるべく、器具カバーを器具本体に向けて、すなわち天井に向けて移動させ、器具本体に取り付けようとすると、ワイヤがフリーであるため外方に飛び出て、器具本体と器具カバーの縁部の間に挟み込まれて、器具カバーを器具本体に取り付けるのに邪魔になってしまう虞がある。
【０００５】
本考案はかかる問題点に鑑みてなされたもので、器具カバーを器具本体に取り付ける際に、器具本体と器具カバーとの間に落下防止部材が挟み込まれてしまうのを防止できる照明器具を提供することを目的とするものである。
【課題を解決するための手段】
【０００６】
本考案の照明器具は、被取付面に一側面を取り付けられる筒状の器具本体と、
照明ユニットを保持し、器具本体に取外し可能に嵌着されて器具本体の一側面と対向する他側面を覆う器具カバーと、
一端が器具本体に、他端が器具カバーにそれぞれ取り付けられる落下防止部材とを備える照明器具であって、
落下防止部材が、一端が器具本体と器具カバーのいずれか一方に取り付けられるワイヤと、一端が器具本体と器具カバーの他方に取り付けられるチェーンとを備え、ワイヤの他端とチェーンの他端とが取外し可能に接続されるものであって、
ワイヤが復元弾性を有するものであり、ワイヤが器具本体または器具カバーの長手方向に沿って延びるように、ワイヤの上記一端が取り付けられることを特徴とするものである。
【０００７】
なお、本考案の照明器具は、ワイヤの両端に、ワイヤをループ状に曲げてなる取付輪を備えていてもよい。
【０００８】
また、本考案の照明器具においては、ワイヤの一端の取付輪にネジを挿入することによって、ワイヤの一端が器具本体に取り付けられ、ワイヤの他端の取付輪に、開閉可能なフックが取り付けられているものとすることができる。
【０００９】
また、本考案の照明器具は、チェーンが、複数のリングを連結してなるものとすることができる。
【００１０】
また、本考案の照明器具は、落下防止部材を器具本体及び器具カバーの長手方向の一方の端部にのみ設けてもよいし、両端にそれぞれ設けてもよい。
【００１１】
また、本考案の照明器具は、棚板の下面を被取付面として、照明器具が棚に設置されるものに適している。
【考案の効果】
【００１２】
本考案の照明器具は、被取付面に一側面を取り付けられる筒状の器具本体と、照明ユニットを保持し、器具本体に取外し可能に嵌着されて器具本体の一側面と対向する他側面を覆う器具カバーと、一端が器具本体に、他端が器具カバーにそれぞれ取り付けられる落下防止部材とを備える照明器具において、落下防止部材が、一端が器具本体と器具カバーのいずれか一方に取り付けられるワイヤと、一端が器具本体と器具カバーの他方に取り付けられるチェーンとを備え、ワイヤの他端とチェーンの他端とが取外し可能に接続されるものであって、ワイヤが復元弾性を有するものであり、ワイヤが器具本体または器具カバーの長手方向に沿って延びるように、ワイヤの上記一端が取り付けられているので、器具本体と器具カバーとを落下防止部材で連結した状態で、器具カバーを器具本体に取り付ける際に、器具カバーが器具本体側に移動するに連れてワイヤが復元弾性力によって器具本体または器具カバー側に付勢されるので、ワイヤに連結しているチェーンもワイヤと一緒に器具の長手方向に付勢されることにより、チェーンが器具本体又は器具カバーの外方へ飛び出るのを防止することができ、これにより器具本体と器具カバーとの間に落下防止部材が挟み込まれてしまうことを防止することができる。
【図面の簡単な説明】
【００１３】
【図１】本考案の一実施の形態に係る照明器具１の概略分解斜視図
【図２】ワイヤ７Ａの正面図
【図３】フック7Ｂの正面図
【図４】図１の照明器具１の主要部拡大図
【図５】器具カバー５と接続ユニット６を外した状態の照明器具１を説明する図
【図６】器具カバー５を外した状態で、接続ユニット６が接続されている照明器具１を説明する図
【図７】落下防止部材９の作用を説明する図
【図８】本考案の他の実施形態の照明器具を示す概略斜視図
【考案を実施するための形態】
【００１４】
以下、本考案の実施の形態について図面を参照して詳細に説明する。
【００１５】
図１は本考案の一実施の形態に係る照明器具１の概略分解斜視図、図２はワイヤ７Ａの正面図、図３はフック７Ｂの正面図、図４は図１の照明器具１の主要部拡大図、図５は器具カバー５と接続ユニット６を外した状態の照明器具１を説明する図、図６は器具カバー５を外した状態で、接続ユニット６が接続されている照明器具１を説明する図、図７は落下防止部材９の作用を説明する図である。
【００１６】
本実施形態の照明器具１は、部屋の天井や陳列棚の棚板の下面等の被取付面に取り付けられるものであり、本実施形態においては被取付面側を上側として以下説明する。本実施形態の照明器具１は、図１に示すように、内部に電源ユニット３が設置され、被取付面に上面（一側面）が取り付けられる筒状の器具本体２と、照明ユニット４を保持し、器具本体２に取外し可能に嵌着されて器具本体２の下面（他側面）を覆う器具カバー５と、電源ユニット３と照明ユニット４とを電気的に接続する接続ユニット６と、器具本体２と器具カバー５とを連結する落下防止部材９とを備えている。
【００１７】
器具本体２は、金属板の打抜きおよび折曲げ等により形成されるものであり、被取付面に取り付けられる長尺状の上板２１と上板２１の両側縁から下方に向かって立ち上がる一対の側板２２とを備え、下方に開口を有する矩形箱状をしている。また上板２１の長手方向の両端にはそれぞれ下方に切欠部２３ａを有するサイドカバー２３が、図４に示すようにネジＳによって取り付けられている。サイドカバー２３は、図１，図４に示すように、上記切欠部２３ａを有する側面２３ｂと側面２３ｂから直角に曲がり器具本体２の上板２１の下面に取り付けられる取付面２３ｃを備えている。取付面２３ｃには上記上板２１の下面にネジＳで取り付けるためのネジ用切欠２３ｄが設けられている。ネジ用切欠２３ｄの両側にもそれぞれネジ取付用の孔が設けられていて、この孔もサイドカバー２３を上板２１に取り付けるときに使用される。
【００１８】
器具本体２の内部には、上板２１と両側板２２とに沿うように金属板でコの字に形成された係合板２１Ａが長手方向に２つ嵌合されており、この係合板２１Ａは、両側の下端に後述する器具カバー５の係合孔５ａに係合する係合爪２１ａを有しており、この係合爪２１ａは弾性を有している。
【００１９】
上板２１には、長手方向の両端部から所定距離離れた位置に２か所、被取付面に器具本体２を取り付けるための取付穴２４が設けられている。また上板２１の下面には、この２つの取付穴２４の間に電源ユニット３が設置されている。
【００２０】
電源ユニット３は、商用電源からの交流電流を直流電流に変換して出力する変換部、変換部から出力された直流電流を制御して複数のＬＥＤ素子を駆動する駆動部等を備え、これらは基板上に搭載された各種回路で構成されていて、箱状の筐体の中に設置されている。なお本考案の電源ユニット３は、照明器具において一般的に使用される公知のものを使用することができる。電源ユニット３には、点灯電力供給用の電線（図示せず）の一端が接続されており、電源ユニット３の筐体からは、電線６１Ａが延出し、電線６１Ａの先端には上記各種回路と後述する照明ユニット４のＬＥＤ基板４２とを電気的に接続するためのコネクタ６２Ａが取り付けられている。
【００２１】
器具カバー５は、アルミニウム材の押し出しによって筒状に成形されており、図1に示すように、底板５１、底板５１の両側縁から斜め上方に向かってそれぞれ延びる斜板５２、斜板５２の上端縁から上方に向かって延びる側板５３とを備えている。底板５１の下面には、内側に後述するＬＥＤ基板４２が挿入される基板用レール５１ａが、外側に後述する透光カバー４１が係合するためのカバー用レール５１ｂがそれぞれ長手方向に沿って形成されている。また底板５１の上面には、図示しない電気回路基板やサイドカバー２３、後述する落下防止部材９のチェーン８等をネジ止めするための電気回路基板固定用溝５１ｃが３本それぞれ長手方向に沿って形成されている。また斜板５２には、上述した係合爪２１ａに対応する位置に長方形の係合孔５ａが形成されている。
【００２２】
照明ユニット４は、多数のＬＥＤ素子（図示せず）が列設された長尺状のＬＥＤ基板４２と、透光部を有する細長い筒状の透光カバー４１とを備えている。ＬＥＤ基板４２は、ＬＥＤ素子が列設された面を図１中の下側にして、つまりＬＥＤ素子が配置されていない面を器具カバー５の底板５１側に位置させて、器具カバー５の長手方向の前面又は後面から基板用レール５１ａに挿入されて固定されている。透光カバー４１は、透光性を有し、透明又は半透明のプラスチック製の半筒形状に形成されており、円周方向の両縁には内方に向かって突出し、器具カバー５の底板５１のカバー用レール５１ｂと係合する爪部４１ａが長手方向に沿って形成されている。透光カバー４１は、爪部４１ａをカバー用レール５１ｂに係合させることにより器具カバー５に取り付けられる。
【００２３】
また、透光カバー４１の長手方向の図１において図中奥側の端部からは、一端がＬＥＤ基板４２に接続された電線６１Ｂが延出し、電線６１Ｂの先端にはＬＥＤ基板４１と電源ユニット３内の各種回路とを電気的に接続するためのコネクタ６２Ｂが取り付けられている。なお電線６１Ｂは、一端がＬＥＤ基板４２に接続され、実際に電気が流れるプラス電線とマイナス電線、及び、一端が器具カバー５の底板５１の上面に形成された電気回路基板固定用溝５１ｃにネジ等で固定され、電気の流れないダミー電線の３本の電線で構成されており、ダミー電線はプラス電線とマイナス電線よりも長さが短くされている。
【００２４】
器具本体２側のコネクタ６２Ａと器具カバー側のコネクタ６２Ｂとを接続することにより電源ユニット３と照明ユニット４とが電気的に接続される。なお本実施形態においては、器具本体２側の電線６１Ａとコネクタ６２Ａで器具本体側接続部６Ａを、器具カバー側の電線６１Ｂとコネクタ６２Ｂとで器具カバー側接続部６Ｂを構成し、器具本体側接続部６Ａと器具カバー側接続部６Ｂとで接続ユニット６が構成されている。
【００２５】
落下防止部材９は、図１、図４に示すように、一端が器具本体２に取り付けられたワイヤ７Ａと、ワイヤ７Ａの他端に取り付けられる開閉可能なフック７Ｂと、一端が器具カバー５に取り付けられたチェーン８とを備えている。なお本実施形態においては、ワイヤ７Ａとフック７Ｂとを合わせてワイヤ部７とする。
【００２６】
ワイヤ７Ａは、復元弾性を有するステンレス線を予め定められた長さに切断して形成されたものであり、図２に示すように、ワイヤ直線部７１と、ワイヤ直線部７１の両端に形成され、ワイヤ本体をループ状に曲げて形成した取付輪７２とを備えている。取付輪７２は、ワイヤ本体をループ状に曲げた状態で例えばアルミニウム製の圧着スリーブ７３によって圧着固定されて形成されている。なお圧着スリーブ７３の材質については特に限定されるものではなく、ワイヤ本体をループ状に固定可能な材質であればアルミニウム以外で形成されたものであってもよい。
【００２７】
フック７Ｂは、幅２．５ｍｍのステンレス製の板部材を曲げ加工して形成されており、図３に示すように、開口を有する円状の小径部７４と、小径部７４の開口縁からそれぞれ幅広に延び先端が半円形状となるように接続した大径部７５とを備えている。大径部７５の幅広に延びる部分、すなわち半円形状ではない部分には、開閉機構７６が設けられている。開閉機構７６は外側に位置する固定端部７６ａと、固定端部７６ａよりも内側に位置し固定端部７６ａと一部が接触して重なるように形成された可動端部７６ｂとを備えており、可動端部７６ｂは内方に向かって力が加わると内側へ移動し固定端部７６ａから離れた開状態となり、力が加わらないと弾性力によって元の位置、すなわち固定端部７６ａと接触する位置に戻った閉状態となる。
【００２８】
ワイヤ部７は、ワイヤ７Ａの一方の取付輪７２が、開閉機構７６を開状態にしたフック７Ｂに挿入されて形成されている。このようにワイヤ７Ａの取付輪７２に開閉機構７６を有するフック７Ｂを取り付けておくことにより、ワイヤ７Ａと後述するチェーン８とを連結するときに、ワイヤ７Ａとチェーン８とを容易に着脱することができる。
【００２９】
特に、照明器具１が、天井の隅や壁にくぼみや庇を設け、その内部に光源を隠して、天井面に柔らかな光を拡散させるコーブ照明や、壁や軒の上部などに付けられた帯状の装飾に光源を隠して設置し、壁やカーテン等に光を照射するコーニス照明、天井に設けられた底の開いた凹型の空洞、すなわち掘り上げ天井の内部の奥に光源を隠して設置し、堀り上げ天井の内表面を照明するコファー照明等の間接照明に使用される場合には、照明器具１を取り付ける被取付面が外部から見え難い場所にあるために作業スペースが狭い場合が多く、間接照明においては、高所に照明器具１を取り付ける場合もある。また、間接照明用の照明器具は、その器具の断面形状が小さくなるように設計されていることが多いため、配線後に器具内部へ手が届き難くい場合がある。従って、フック７Ｂをワイヤ７Ａの取付輪７２に取り付けておくことにより、ワイヤ７と後述するチェーン８とを容易に着脱することができるので照明器具の取付けの作業性を向上させることができる。
【００３０】
また、被取付面が陳列棚の棚板の下面である場合には、棚板間の距離が短いため、作業スペースが狭い場合がある。陳列棚用の照明器具は、その器具の断面形状が小さくなるように設計されていることが多いため、配線後に器具内部へ手が届き難くい場合がある。従って、フック７Ｂをワイヤ７Ａの取付輪７２に取り付けておくことにより、ワイヤ７と後述するチェーン８とを容易に着脱することができるので照明器具１の取付けの作業性を向上させることができる。
【００３１】
このように構成されたワイヤ部７は、図４に示すように、ワイヤフック７Ｂが取り付けられていない方の取付輪７２に上述したサイドカバー２３のネジ用切欠２３ｄに取り付けられるネジＳを挿通させることによってサイドカバー２３と共に上板２１に取り付けられる。このときワイヤ７Ａは、上板２１の長手方向に沿って延びるように、すなわちワイヤ７Ａの線軸が上板２１の長手方向と平行になるようにして上板２１に取り付けられる。これにより、ワイヤ７Ａは一端（取付輪７２側）が上板２１の面に沿って器具の長手方向に延びた状態でサイドカバー２３に強固に取り付けられ、それによりワイヤ７Ａ全体が器具の長手方向に延び、その方向に付勢され、復元弾性を持つように取り付けられる。
【００３２】
チェーン８は、ステンレス製の３つのリング８１，８２，８３を連結することにより構成されている。チェーン８は、図１、図４に示すように、一端のリング８１にネジＳの軸が挿通されて器具カバー５の底板５１の上面に形成された電気回路基板固定用溝５１ｃに固定される。
【００３３】
なお、器具カバー５及び透光カバー４１の長手方向の前面及び後面には、ＬＥＤ基板４１や電気回路基板、透光カバー４１等が抜け出さないように、それぞれ図示しないキャップが取り付けられる。
【００３４】
以上のように構成された照明器具１は、図５に示すように、一端の取付輪７２が器具本体２に取り付けられ、他端の取付輪７２にワイヤフック７Ｂ取り付けられたワイヤ７Ａのワイヤフック７Ｂに、器具カバー５に取り付けられたチェーン８を接続することにより落下防止部材９が接続される。
【００３５】
ワイヤ７Ａは、図４に示す器具本体２の上板２１の長手方向に沿って延びるよう取り付けられた状態から、照明ユニット４、器具カバー５及びチェーン８の重さにより下方向へ荷重がかかり、図５に示すように、下方向へ延びた状態になる。
【００３６】
次に、ワイヤ７Ａとチェーン８とを接続した状態で、図６に示すように、器具本体側接続部６Ａと器具カバー側接続部６Ｂとが接続されることにより、電源ユニット３と照明ユニット４とが電気的に接続される。このとき、落下防止部材９と接続ユニット６は、落下防止部材９の器具本体２と器具カバー５の間の長さが、接続ユニット６の器具本体２と器具カバー５の間の長さよりも短くなるように構成されている。また上述したように、器具カバー側接続部６Ｂの電線６１Ｂのダミー電線はプラス電線とマイナス電線よりも長さが短くされている。これにより電線６１Ｂはダミー電線のみに張力がかかり、電気の流れるプラス電線とマイナス電線には張力がかからない。
【００３７】
そして配線等の全ての作業が終了すると、次に器具カバー４を上方向に移動させて、器具本体４に器具カバー５を取り付ける。器具カバー４を器具本体４に向けて移動させると（図７中の矢印Ｍ方向）、図７に示すように、ワイヤ７Ａは元の状態すなわち器具本体２の上板２１の長手方向に沿って延びた状態へ戻ろうとして図７中の矢印Ｆ方向に向けて移動する。このときワイヤ７Ａの先端にはフック７Ｂを介してチェーン８が接続されているので、チェーン８もワイヤ７Ａの移動に伴って図７中の矢印Ｆ方向に向けて引っ張られる。
【００３８】
本考案においては、上記のようにワイヤ７Ａの復元力によってチェーン８が器具の長手方向に付勢されるので、チェーン８が器具本体２や器具カバー５の外方へ飛び出るのを防止することができ、器具本体２に器具カバー５を取り付けるときに、器具本体２と器具カバー５との間にチェーン８が挟み込まれてしまうことを防止することができる。
【００３９】
そして器具カバー５の係合爪２１ａを手で両側から内方へ押し込んだ状態で側板２２の外面に器具カバー５を被せて、係合爪２１ａの位置に器具カバー５の係合孔５ａがきたときに押しこんで手を放すと係合爪２１ａが係合孔５ａに係合して器具カバー５が器具本体２に取り付けられる。このようにして本考案の照明器具１は取り付けられる。
【００４０】
次に本考案の他の実施形態について説明する。図８は本考案の他の実施形態の照明器具を示す概略斜視図である。なお本実施形態では、上述した実施形態と同じ箇所については説明を省略し、異なる箇所についてのみ説明する。
【００４１】
本実施形態の照明器具は、図８に示すように、器具本体２の長手方向において、接続ユニット６が取り付けられた側に落下防止部材９が取り付けられている。本考案の照明器具においては、落下防止部材９が器具本体２から飛び出ないように器具本体２の上板２１の長手方向に沿って延びるようにして取り付けられていれば、上板２１の長手方向のどの位置に取り付けられていても、上述した実施形態と同様の効果を得ることができる。従って照明器具の設置場所、配線等の状態を考慮して落下防止部材９の取付位置を決定することができる。
【００４２】
なお上述した実施形態では、コスト削減のために落下防止部材９を１つのみ取り付けたが、本考案はこれに限られるものではなく、２つ以上取り付けてもよい。落下防止部材９を２つ取り付ける場合には、器具本体２の長手方向の両端に取り付けることが好ましい。
【００４３】
また本実施形態では、チェーン８を３つのリングを連結することにより構成されるものとしたが、本考案はこれに限られるものではなく、照明器具の大きさや接続ユニット６の長さ等に対応してリングの数は適宜変更することができる。
【００４４】
また本実施形態では、図１，図５，図６，図８において、便宜上、電線６１Ｂの３本の電線を１つにまとめていないが、実際には、電線６１Ｂは３本をまとめて器具カバー５側に固定して配置されている。電線６１Ｂは、他の部材の配置に応じて適宜配置を変更することができる。
【００４５】
また本実施形態では、ワイヤ７Ａおよびフック７Ｂを器具本体２に、チェーン８を器具カバー５にそれぞれ取り付けるものとしたが、ワイヤ７Ａおよびフック７Ｂを器具カバー５に、チェーン８を器具本体２にそれぞれ取り付けてもよい。この場合、ワイヤ７Ａは器具カバー５から飛び出ないように器具カバー５の底板５１の上面の長手方向に沿って延びるようにして取り付ける。
【００４６】
これにより、ワイヤ７Ａとチェーン８とをフック７Ｂを介して接続した状態つまり、ワイヤ７Ａが垂直方向に伸びた状態で、器具カバー５を器具本体２へ取り付けるときに、ワイヤ７Ａは元の状態すなわち器具カバー５の底板５１の上面の長手方向に沿って延びた状態へ戻ろうとして器具カバー５の底板５１に向けて移動する。このときワイヤ７Ａの先端にはフック７Ｂを介してチェーン８が接続されているので、チェーン８もワイヤ７Ａの移動に伴って器具カバー５の底板５１に向けて引っ張られる。このようにワイヤ７Ａおよびフック７Ｂを器具カバー５に、チェーン８を器具本体２にそれぞれ取り付けた場合でも、ワイヤ７Ａの復元力によってチェーン８が器具カバー５側に引っ張られるので、チェーン８が器具本体２や器具カバー５の外方へ飛び出るのを防止することができ、器具本体２に器具カバー５を取り付けるときに、チェーン８が器具本体２と器具カバー５との間に挟み込まれてしまうことを防止することができる。
【００４７】
また、上述した実施形態の照明器具は、図１に示すように、器具本体２の係合爪２１ａと器具カバー５の係合孔５ａとを係合させて器具本体２に器具カバー５を嵌着する構成としたが、本考案は嵌着に限られるものではなく、器具本体２と器具カバー５はネジ止め固定等によって固定されるものであってもよいし、適宜変更することができる。
【００４８】
また、上述した実施形態の照明器具は、照明ユニット４としてＬＥＤを用いたが、本考案はＬＥＤに限られるものではなく蛍光灯を使用した照明ユニットにも適用することができる。
【００４９】
本考案の照明器具は、上述した実施形態の照明器具に限定されるものではなく、考案の要旨を逸脱しない範囲において適宜変更することができる。
【符号の説明】
【００５０】
１        照明器具
２        器具本体
３        電源ユニット
４        照明ユニット
４２      ＬＥＤ基板
４１      透光カバー
５        器具カバー
６        接続ユニット
６Ａ      器具本体側接続部
６Ｂ      器具カバー側接続部
７        ワイヤ部
７Ａ      ワイヤ
７１      ワイヤ直線部
７２      取付輪
７３      圧着スリーブ
７Ｂ      フック
７６      開閉機構
８        チェーン
９        落下防止部材
１０      天井
【図１】
0003195062.tif 000003
【図２】
0003195062.tif 000004
【図３】
0003195062.tif 000005
【図４】
0003195062.tif 000006
【図５】
0003195062.tif 000007
【図６】
0003195062.tif 000008
【図７】
0003195062.tif 000009
【図８】
0003195062.tif 000010